(57)【要約】【課題】機能性成分導入手段のメンテナンス性を向上させることが可能な送風装置を提供する。【解決手段】送風装置１１は、ボール型ファン１３を搭載可能な設置台１４を有して構成される。ボール型ファン１３は、吹出口２０から吹き出す高圧空気に誘引されて筐体１２外の空気を吸い込む複数の誘引空気吸込口２２と、誘引空気吸込口２２に吸い込まれた空気を混合する誘引空気混合部２３と、誘引空気混合部２３の誘引空気を吹き出す誘引空気吹出口２４を備える。設置台１４は、筐体１２の外表面を環状に接触させて支持する支持部２７と、支持部２７の側面の第二開口部３２と連通する設置台風路３６と、設置台風路３６を流れる空気に機能性成分を導入する機能性成分導入手段３３とを備える。そして、ボール型ファン１３を設置台１４に搭載した際には、誘引空気吸込口２２ａが設置台風路３６と連通し、誘引空気に対して機能性成分が導入される。【選択図】図６
2020118150.tif 000002
【特許請求の範囲】
【請求項１】
ボール型ファンと、前記ボール型ファンを搭載可能な設置台とを有して構成される送風装置であって、
前記ボール型ファンは、
球状の筐体に、前記筐体外の空気を取り入れる吸込口と、
前記吸込口から取り入れた空気を高圧空気にする高圧空気発生手段と、
前記高圧空気を吹き出す吹出口と、
前記吹出口から吹き出す前記高圧空気に誘引されて前記筐体外の空気を吸い込む複数の誘引空気吸込口と、
前記誘引空気吸込口に吸い込まれた空気を混合する誘引空気混合部と、
前記誘引空気混合部の誘引空気を吹き出す誘引空気吹出口と、
を備え、
前記設置台は、
前記筐体の外表面を環状に接触させて支持する支持部と、
前記支持部の内側において開口する第一開口部と、
前記設置台の側面において外部に向かって開口する第二開口部と、
前記第一開口部と前記第二開口部とを連通する設置台風路と、
前記設置台風路を流れる空気に機能性成分を導入する機能性成分導入手段と、
を備え、
前記ボール型ファンを前記設置台に搭載した際には、複数の前記誘引空気吸込口の一つが前記設置台風路と連通し、前記誘引空気に対して機能性成分が導入されることを特徴とする送風装置。
【請求項２】
前記ボール型ファンを前記設置台に搭載して機能性成分を含む前記誘引空気を送風する際に、前記ボール型ファンの搭載位置を決めるための位置決め部を備え、
前記位置決め部は、前記誘引空気吸込口の一つが前記支持部の内側に位置するように構成されていることを特徴とする請求項１に記載の送風装置。
【請求項３】
前記機能性成分導入手段は、前記ボール型ファンを前記設置台に搭載した際、前記第二開口部から前記誘引空気吸込口に至る前記設置台風路において、前記設置台風路の前記誘引空気吸込口側に位置するように設けられていることを特徴とすることを特徴とする請求項１または２に記載の送風装置。
【請求項４】
前記機能性成分導入手段は、前記設置台風路を流れる空気に導入する機能性成分を、第一機能性成分と、前記第一機能性成分とは異なる第二機能性成分に切り替えることが可能であることを特徴とする請求項１〜３のいずれか一項に記載の送風装置。
【発明の詳細な説明】
【技術分野】
【０００１】
本発明は、居室内の机上あるいは床面に設置され、直接気流による体感温度の低下あるいは室内の空気の循環に使用される扇風機などの送風装置に関し、特に機能性成分を気流内に導入可能な送風装置に関するものである。
【背景技術】
【０００２】
従来、機能性成分（例えば、香料）を気流に付与し、所望の位置に搬送することが可能な送風装置が開示されている（例えば、特許文献１参照）。
【０００３】
以下、従来の送風装置について図７を参照しながら説明する。図７は、従来の送風装置の一例を示す斜視図である。
【０００４】
図７に示すように、従来の送風装置１００は、球状の筐体１０１に、筐体１０１外の空気を取り入れる吸込口１０２と、吸込口１０２から取り入れた空気を高圧空気にする高圧空気発生手段（図示せず）と、高圧空気を吹き出す吹出口１０３と、を備える。また、従来の送風装置１００は、吹出口１０３から吹き出す高圧空気に誘引されて筐体１０１外の空気を吸い込む複数の誘引空気吸込口１０４と、複数の誘引空気吸込口１０４から吸い込まれた空気を混合する誘引空気混合部１０５と、誘引空気混合部１０５で混合された誘引空気を吹き出す誘引空気吹出口１０６と、を備える。さらに、従来の送風装置１００は、誘引空気混合部１０５内の誘引空気に対して機能性成分を導入する機能性成分導入手段１０７を備える。そして、従来の送風装置１００では、機能性成分は、機能性成分導入手段１０７によって誘引空気混合部１０５内に放出されることによって、機能性成分を含む誘引空気として送風装置１００の誘引空気吹出口１０６から筐体１０１の外部へ吹き出される。
【０００５】
従来の送風装置１００は、吹出口１０３から吹き出される高圧空気と、誘引空気吹出口１０６から吹き出される機能性成分を含む誘引空気とを送風することにより、機能性成分を所望位置に搬送し得るようにしている。
【先行技術文献】
【特許文献】
【０００６】
【特許文献１】特開２０１８−１０５１６６号公報
【発明の概要】
【発明が解決しようとする課題】
【０００７】
従来の送風装置１００では、機能性成分を所望位置へ搬送することは実現しているものの、機能性成分導入手段１０７が球状の筐体１０１に内蔵されているため、機能性成分が入った供給カートリッジの交換等のメンテナンス性が低いという課題を有している。
【０００８】
そこで本発明は、上記の従来の課題を解決するものであり、機能性成分導入手段のメンテナンス性を向上させることが可能な送風装置を提供することを目的とする。
【課題を解決するための手段】
【０００９】
そして、この目的を達成するために、本発明に係る送風装置は、ボール型ファンと、ボール型ファンを搭載可能な設置台とを有して構成される。ボール型ファンは、球状の筐体に、筐体外の空気を取り入れる吸込口と、吸込口から取り入れた空気を高圧空気にする高圧空気発生手段と、高圧空気を吹き出す吹出口と、吹出口から吹き出す高圧空気に誘引されて筐体外の空気を吸い込む複数の誘引空気吸込口と、誘引空気吸込口に吸い込まれた空気を混合する誘引空気混合部と、誘引空気混合部の誘引空気を吹き出す誘引空気吹出口と、を備える。設置台は、筐体の外表面を環状に接触させて支持する支持部と、支持部の内側において開口する第一開口部と、設置台の側面において外部に向かって開口する第二開口部と、第一開口部と第二開口部とを連通する設置台風路と、設置台風路を流れる空気に機能性成分を導入する機能性成分導入手段と、を備える。そして、ボール型ファンを設置台に搭載した際には、複数の誘引空気吸込口の一つが設置台風路と連通し、誘引空気に対して機能性成分が導入されることを特徴とするものである。
【発明の効果】
【００１０】
本発明によれば、機能性成分導入手段のメンテナンス性を向上させることが可能な送風装置を提供することができる。
【図面の簡単な説明】
【００１１】
【図１】図１は、本発明の前提例に係るボール型ファンの構成を示す断面図である。
【図２】図２は、本発明の前提例に係るボール型ファンの風路構成を示す断面図である。
【図３】図３は、本実施の形態１に係る送風装置の構成を示す斜視図である。
【図４】図４は、本実施の形態１に係る送風装置の構成（分離状態）を示す後方斜視図である。
【図５】図５（ａ）は、本実施の形態１に係る送風装置の構成（分離状態）を示す側面図であり、図５（ｂ）は、同送風装置の構成（搭載状態）を示す側面図である。
【図６】図６は、本実施の形態１に係る送風装置の構成を示す断面図である。
【図７】図７は、従来の送風装置の一例を示す斜視図である。
【発明を実施するための形態】
【００１２】
本発明に係る送風装置は、ボール型ファンと、ボール型ファンを搭載可能な設置台とを有して構成される。ボール型ファンは、球状の筐体に、筐体外の空気を取り入れる吸込口と、吸込口から取り入れた空気を高圧空気にする高圧空気発生手段と、高圧空気を吹き出す吹出口と、吹出口から吹き出す高圧空気に誘引されて筐体外の空気を吸い込む複数の誘引空気吸込口と、誘引空気吸込口に吸い込まれた空気を混合する誘引空気混合部と、誘引空気混合部の誘引空気を吹き出す誘引空気吹出口と、を備える。設置台は、筐体の外表面を環状に接触させて支持する支持部と、支持部の内側において開口する第一開口部と、設置台の側面において外部に向かって開口する第二開口部と、第一開口部と第二開口部とを連通する設置台風路と、設置台風路を流れる空気に機能性成分を導入する機能性成分導入手段と、を備える。そして、ボール型ファンを設置台に搭載した際には、複数の誘引空気吸込口の一つが設置台風路と連通し、誘引空気に対して機能性成分が導入されることを特徴とするものである。
【００１３】
こうした構成によれば、誘引空気吸込口の一つにおいて誘引される機能性成分が導入された空気と、他の誘引空気吸込口において誘引される空気とが誘引空気混合部において混合されるため、送風装置は、誘引空気吹出口から機能性成分が導入された誘引空気を吹き出すことができる。つまり、誘引空気に対して機能性成分を導入するための機能性成分導入手段をボール型ファンと分離し、ボール型ファンを搭載するための設置台の中に機能性成分導入手段を設けることができるので、機能性成分導入手段のメンテナンス性を向上させることが可能な送風装置とすることができる。
【００１４】
また、ボール型ファンを設置台に搭載して機能性成分を含む誘引空気を送風する際に、ボール型ファンの搭載位置を決めるための位置決め部を備え、位置決め部は、誘引空気吸込口の一つが支持部の内側に位置するように構成されていることを特徴とする。
【００１５】
こうした構成とすることで、誘引空気吸込口の一つを第一開口部と対向させ、誘引空気吸込口の一つと第一開口部とを連通させることができるので、ボール型ファンの誘引空気吸込口の一つに対して設置台風路を流れる空気（機能性成分が導入された空気）を確実に導入することができる。
【００１６】
また、機能性成分導入手段は、ボール型ファンを設置台に搭載した際、第二開口部から誘引空気吸込口に至る設置台風路において、設置台風路の誘引空気吸込口側に位置するように設けられていることを特徴とする。
【００１７】
こうした構成とすることで、第二開口部から吸い込まれた空気に導入される機能性成分が誘引空気吸込口から誘引されやすくなるため、機能性成分（機能性成分が導入された空気）を誘引空気吸込口に確実に吸い込ませることができる。つまり、機能性成分導入手段から放出される機能性成分をボール型ファンの外に拡散させることなく使用することができる。
【００１８】
また、機能性成分導入手段は、設置台風路を流れる空気に導入する機能性成分を、第一機能性成分と、第一機能性成分とは異なる第二機能性成分に切り替えることが可能であることを特徴とするものである。
【００１９】
こうした構成とすることで、誘引空気に導入する機能性成分を、第一機能性成分と第二機能性成分に容易に切り替えることができるので、利用者の求めに応じて、異なった機能性成分を所望位置に搬送することが可能な送風装置とすることができる。特に、ボール型ファンを搭載するための設置台の中に機能性成分導入手段が設けられるので、ボール型ファンを大型化することなく、機能性成分の切り替えを実現することが可能となる。
【００２０】
以下、本発明の実施の形態について図面を参照しながら説明する。ただし、以下に示す実施の形態は、本発明の技術思想を具体化するための送風装置を例示するものであって、本発明は送風装置を以下のものに特定しない。また、特許請求の範囲に示される部材を、実施例の部材に特定するものでは決してない。特に実施の形態に記載されている構成部材の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。
【００２１】
（前提例）
まず、図１、図２を参照して、本発明の実施の形態の前提例となるボール型ファンについて説明する。図１は、本発明の前提例に係るボール型ファンの構成を示す断面図である。図２は、本発明の前提例に係るボール型ファンの風路構成を示す断面図である。
【００２２】
図１、図２に示すように、ボール型ファン１３は、球形状の筐体１２を有して構成され、環形状の吹出口２０から吹き出す高圧空気（吹出気流４６）と、吹出口２０から吹き出す空気に誘引されて内環側に位置する誘引空気吹出口２４から吹き出す誘引空気（誘引気流４７）とを用いて対象物（図示せず）に対して送風を行うものである。
【００２３】
ボール型ファン１３は、球形状の筐体１２として、外壁１５ａと内壁１５ｂの二重壁を有する。また、ボール型ファン１３は、筐体１２の外部から空気を取り入れる吸込口１６と、高圧空気を発生するためのファン１７とファン１７を駆動するためのモータ１８とで構成された高圧空気発生手段１９と、高圧空気を吹き出すための環形状の吹出口２０と、高圧空気をファン１７から吹出口２０に導く第一風路２１と、を備える。また、ボール型ファン１３は、吹出口２０から吹き出す空気に誘引されて筐体１２の外部から空気を吸い込む複数（本発明の前提例では６個）の誘引空気吸込口２２と、複数の誘引空気吸込口２２に吸い込まれた空気を混合する誘引空気混合部２３と、誘引された空気を吹き出す誘引空気吹出口２４と、誘引空気吸込口２２と誘引空気混合部２３と誘引空気吹出口２４を連通する第二風路２５と、を備える。
【００２４】
ボール型ファン１３の各構成要素の詳細は、以下の通りである。
【００２５】
吸込口１６は、球形状の筐体１２の一方の極側に設けられた複数の細孔からなる開口部であり、筐体１２の外部から内部に空気を取り入れる。
【００２６】
高圧空気発生手段１９は、吸込口１６から取り入れた空気を昇圧して高圧空気として送風する。
【００２７】
吹出口２０は、球形状の筐体１２の他方の極側に設けられた環形状の開口部であり、高圧空気発生手段１９によって昇圧された高圧空気を吹き出す。
【００２８】
第一風路２１は、外壁１５ａと内壁１５ｂと貫通壁２６とで構成され、吸込口１６から吹出口２０までを連通する風路であり、風路内を吹出気流４６が流通する。
【００２９】
誘引空気吸込口２２は、筐体１２の壁面（外壁１５ａ、内壁１５ｂ）を貫通する矩形状の開口部であり、吹出口２０から吹き出す空気に誘引されて筐体１２の外部から内部に空気を吸い込む。誘引空気吸込口２２は、筐体１２の周方向に沿って等間隔（環形状の吹出口２０の軸中心から放射状）に６個設けられている。なお、６個の誘引空気吸込口２２の合計の開口面積は、誘引空気吹出口２４の開口面積と同等に設定されている。
【００３０】
誘引空気混合部２３は、球形状の筐体１２の中心部分に設けられ、複数の誘引空気吸込口２２から吸い込まれた空気を混合する。
【００３１】
誘引空気吹出口２４は、吹出口２０の内環を構成する内壁１５ｂに囲まれて構成される開口であり、誘引空気混合部２３で誘引された空気を吹き出す。
【００３２】
第二風路２５は、内壁１５ｂと第一風路２１を貫通する貫通壁２６とで構成され、誘引空気吸込口２２から誘引空気吹出口２４までを連通する風路であり、風路内を誘引気流４７が流通する。
【００３３】
以上、ボール型ファン１３は、このように構成されるものである。
【００３４】
次に、ボール型ファン１３の送風方法について図２を用いて説明する。
【００３５】
ボール型ファン１３では、筐体１２の内部に設けた高圧空気発生手段１９を駆動させて空気流を発生させると、高圧空気発生手段１９は、吸込口１６から外部の空気を取り入れてファン１７によって昇圧する。そして、高圧空気となった空気（吹出気流４６）は、実線矢印で示すように、第一風路２１を通過して吹出口２０から送風される。このとき、環状の吹出口２０の内側は負圧となるため、点線矢印で示すように、誘引空気吸込口２２から外部の空気が誘引され、誘引された空気（誘引気流４７）は、第二風路２５を通過して誘引空気吹出口２４から送風される。この際、複数の誘引空気吸込口２２から誘引された空気は、第二風路２５中に設けた誘引空気混合部２３で混合され、誘引空気吹出口２４の方向に流れを変更された状態で誘引空気吹出口２４からまとまった状態で吹き出される。このため、吹き出された空気は中心部にコア領域が形成されるので、ボール型ファン１３は、直進性に優れ、遠方まで風速の減衰が少なく到達する気流を効率よく生み出すことができる。ここで、高圧空気とは大気圧以上の空気を示すものとする。
【００３６】
なお、前提例においては筐体１２を球形状で表したが、筐体１２の形状としては特にこれに限定されるものではなく、例えば、つぼ型、半球形状、アーモンド形状などであってもよい。また、環形状とは円に限定されるものではなく、環になっていれば多角形あるいは曲線で構成された形状であってもよい。また環形状は性能に影響が出ない範囲であればリブなどにより部分的に途切れることがあっても問題はない。
【００３７】
（実施の形態１）
次に、本実施の形態１に係る送風装置１１について図３、図４を参照して説明する。図３は、本実施の形態１に係る送風装置の構成を示す斜視図である。図４は、本実施の形態１に係る送風装置の構成（分離状態）を示す後方斜視図である。
【００３８】
本実施の形態１に係る送風装置１１は、図３に示すように、ボール型ファン１３と、ボール型ファン１３を搭載して設置するための設置台１４とを有して構成される。ボール型ファン１３と設置台１４とは、互いに分離可能であり、それぞれ独立して構成されるが、送風装置１１は、ボール型ファン１３の誘引空気吸込口２２の一つを設置台１４の支持部２７の内側に向けて搭載することで、設置台１４から機能性成分が導入され、機能性成分を有する気流を所望位置に搬送することが可能となっている。詳細は後述する。
【００３９】
ボール型ファン１３は、前提例に係るボール型ファンと同様の構造であるので、詳細な説明は省略するが、ボール型ファン１３を設置台１４に搭載した場合に、吹出口２０から吹き出される高圧空気と、誘引空気吹出口２４から吹き出される機能性成分を含む誘引空気とを送風し、機能性成分を有する気流を所望位置に搬送するものである。
【００４０】
また、ボール型ファン１３は、球形状の筐体１２の外表面に、凹形状の位置決め部２９（図５参照）を備える。詳細は後述するが、位置決め部２９は、設置台１４に設けられた凸部２８（図５参照）と勘合することによって、ボール型ファン１３の搭載位置を決めるものである。
【００４１】
設置台１４は、ボール型ファン１３を搭載可能に構成されており、ボール型ファン１３を搭載した場合に、ボール型ファン１３に対して機能性成分を含む空気を導入するためのものである。設置台１４は、ボール型ファン１３の筐体１２の外表面と環状に接触して支持する支持部２７と、支持部２７を保持する基部３０と、空気に機能性成分を導入するための機能性成分導入手段３３（図４参照）と、を有して構成される。
【００４２】
支持部２７は、図４に示すように、ボール型ファン１３を搭載する際に、筐体１２の外表面を環状に接触して支持できるように、外形形状を円筒形に構成される。より詳細には、支持部２７は、筐体１２の外表面が環状に接触する支持面２７ａと、支持面２７ａの内側において開口する第一開口部３１と、支持部２７の側壁に設けられた切り欠き部２７ｂと、ボール型ファン１３の位置決め部２９と勘合する凸部２８と、ボール型ファン１３が搭載された場合に設置台風路３６ａ（図６参照）となる内部空間２７ｃと、を有して構成される。
【００４３】
支持面２７ａは、支持部２７の外縁部に沿って環状に構成される。具体的には、支持面２７ａは、ボール型ファン１３の筐体１２の外表面と略同一曲面とし、ボール型ファン１３の筐体１２の外表面と環状に面接触するように構成される。
【００４４】
第一開口部３１は、支持面２７ａの内側において開口する円形状の開口部である。また、第一開口部３１は、ボール型ファン１３の誘引空気吸込口２２よりも大きい開口面積を有し、ボール型ファン１３が搭載された場合には、一つの誘引空気吸込口２２の全体と対向するようにして誘引空気吸込口２２の一つと連通する。
【００４５】
切り欠き部２７ｂは、ボール型ファン１３が搭載された場合に、ボール型ファン１３の筐体１２の外表面とで支持部開口部３２ａ（図６参照）を構成する。ここで、支持部開口部３２ａは、設置台１４からボール型ファン１３に対して機能性成分を含む空気を導入する際に、設置台１４の外部から内部に空気を取り入れる開口部である。
【００４６】
凸部２８は、支持面２７ａ上に取り付けられた一対の半円状の突起で構成され、後述するボール型ファン１３の筐体１２の外表面に設けられた位置決め部２９と勘合することにより、ボール型ファン１３の搭載位置を決める。なお、誘引空気吸込口２２の一つと第一開口部３１とが連通する向きで、ボール型ファン１３と設置台１４との関係が拘束されるように、凸部２８と位置決め部２９の位置あるいは角度が規定されている。
【００４７】
内部空間２７ｃは、支持部２７の内部に設けられた空間であり、ボール型ファン１３が搭載された場合に、ボール型ファン１３の筐体１２の外表面とで設置台風路３６ａ（図６参照）を構成する。
【００４８】
また、図４に示すように、基部３０は、ボール型ファン１３を搭載する支持部２７を保持するための台座であり、支持部２７と同じく外形形状を円筒形に構成される。より詳細には、基部３０は、基部３０の側壁に設けられた基部開口部３２ｂと、支持部２７の内部空間２７ｃと連通する内部開口部３０ａと、設置台風路３６ｂ（図６参照）を構成する内部空間３０ｂと、内部空間３０ｂ内に設置された機能性成分導入手段３３と、を有して構成される。
【００４９】
基部開口部３２ｂは、支持部開口部３２ａと同様、設置台１４からボール型ファン１３に対して機能性成分を含む空気を導入する際に、設置台１４の外部から内部に空気を取り入れる開口部である。また、基部開口部３２ｂは、支持部開口部３２ａと同じ側の側壁に配置される。
【００５０】
内部開口部３０ａは、支持部２７の内部空間２７ｃと基部３０の内部空間３０ｂとを連通する開口部である。内部開口部３０ａは、少なくとも機能性成分導入手段３３の上面側を開口する位置に設けられる。
【００５１】
内部空間３０ｂは、基部３０の内部に設けられた空間であり、基部開口部３２ｂから内部開口部３０ａに至る設置台風路３６ｂ（図６参照）を構成する。なお、支持部２７の設置台風路３６ａと基部３０の設置台風路３６ｂとにより、設置台１４の内部において空気が流通する設置台風路３６（図６参照）が構成される。
【００５２】
機能性成分導入手段３３は、設置台風路３６を流れる空気に機能性成分を導入するためのものである。機能性成分導入手段３３は、基部３０の内部空間３０ｂ内において、基部開口部３２ｂ（および支持部開口部３２ａ）とは円形状の基部３０の中心を挟んで反対側に設置されている。機能性成分導入手段３３による機能性成分の導入には、公知の技術が使用されればよいので、ここでは詳細な説明を省略するが、例えば、供給カートリッジから導入される機能性成分のガス化あるいは放電によるイオン化によって機能性成分を設置台風路３６中に放出させて導入する。機能性成分としては、例えば、利用者の眠気を覚ます作用のある香料、あるいは利用者をリラックスさせる効果がある芳香成分などが挙げられる。また、機能性成分導入手段３３から導入される機能性成分は一つに限らず、構成上可能な限り複数設けることができる。本実施の形態では、機能性成分導入手段３３は、互いに異なる３種類の機能性成分（第一機能性成分、第二機能性成分、第三機能性成分）の供給カートリッジを有して構成される。つまり、この構成により、複数の機能性成分の切り替えだけでなく、複数の機能性成分を交互または同時に導入することも可能となっている。
【００５３】
次に、機能性成分を含む空気を送風する際におけるボール型ファン１３と設置台１４との間での位置決め方法について図５を参照して説明する。図５（ａ）は、本実施の形態１に係る送風装置の構成（分離状態）を示す側面図であり、図５（ｂ）は、同送風装置の構成（搭載状態）を示す側面図である。なお、図５（ａ）の実線３４は、ボール型ファン１３の誘引空気吸込口２２の一つ（誘引空気吸込口２２ａ）が設置台１４の支持部２７の内側を向くように搭載する場合に、設置台１４の支持部２７（支持面２７ａ）が筐体１２の外表面と接触する位置を示す線である。
【００５４】
設置台１４の支持部２７には、図５（ａ）に示すように、凸部２８が取り付けられている。一方、ボール型ファン１３の筐体１２の外表面には、凸部２８と勘合させるための凹形状の位置決め部２９が実線３４上の所定位置に設けられている。図示していないが、位置決め部２９は、凸部２８の形状に対応した半円状の窪み形状で一対構成されている。そして、設置台１４の凸部２８に対してボール型ファン１３の筐体１２の位置決め部２９を勘合させることで、図５（ｂ）に示すように、ボール型ファン１３が設置台１４に搭載され、機能性成分を有する気流を所望位置に搬送することが可能な送風装置１１となる。この際、ボール型ファン１３の誘引空気吸込口２２の一つ（誘引空気吸込口２２ａ）は、設置台１４の支持部２７の内側を向いた状態となっている。
【００５５】
次に、本実施の形態１に係る送風装置１１の送風方法について図６を参照して説明する。図６は、本実施の形態１に係る送風装置の構成を示す断面図である。
【００５６】
本実施の形態１に係るボール型ファン１３は、前提例のボール型ファンと同様、吸込口１６から吹出口２０までを連通する第一風路２１と、誘引空気吸込口２２から誘引空気吹出口２４までを連通する第二風路２５とを備える。一方、設置台１４は、第二開口部３２から第一開口部３１までを連通する設置台風路３６を備える。そして、第二風路２５を構成する誘引空気吸込口２２の一つ（誘引空気吸込口２２ａ）が設置台１４の支持部２７の内側を向いた状態となっているので、誘引空気吸込口２２ａと第一開口部３１とは互いに重畳して連通し、設置台風路３６は、第二風路２５の一つと連通する状態となる。
【００５７】
送風装置１１の動作時には、ボール型ファン１３では、吸込口１６から取り入られ、高圧空気となった空気（吹出気流４６）は、実線矢印で示すように、第一風路２１を通過して吹出口２０から送風される。このとき、環状の吹出口２０の内側は負圧となるため、点線矢印で示すように、誘引空気吸込口２２に外部の空気が誘引されるとともに、誘引空気吸込口２２ａ（第一開口部３１と連通する誘引空気吸込口２２の一つ）に設置台風路３６を介して外部の空気が誘引される。ここで、設置台風路３６では、第二開口部３２（支持部開口部３２ａ、基部開口部３２ｂ）から外部の空気が取り入れられる。また、設置台風路３６を介して誘引される空気には、機能性成分導入手段３３によって機能性成分が導入される。そして、複数の誘引空気吸込口２２（誘引空気吸込口２２ａを含む）から誘引された空気（誘引気流４７）は、第二風路２５中に設けた誘引空気混合部２３で混合され、機能性成分を含む誘引空気として誘引空気吹出口２４からまとまった状態で送風される。
【００５８】
このようにして、送風装置１１では、環形状の吹出口２０から吹き出す吹出気流４６と、誘引空気吹出口２４から吹き出す機能性成分を含む誘引気流４７とを用いて対象物（図示せず）に対しての送風が行われる。
【００５９】
以上、本実施の形態１に係る送風装置１１によれば、以下の効果を享受することができる。
【００６０】
（１）送風装置１１は、ボール型ファン１３を設置台１４に搭載した際は、複数の誘引空気吸込口２２の一つ（誘引空気吸込口２２ａ）が設置台風路３６と連通し、誘引空気に対して機能性成分が導入される構成となっている。これにより、誘引空気吸込口２２ａにおいて誘引される機能性成分が導入された空気と、他の誘引空気吸込口２２において誘引される空気とが誘引空気混合部２３において混合されるため、送風装置１１は、誘引空気吹出口２４から機能性成分が導入された誘引空気を吹き出すことができる。つまり、誘引空気に対して機能性成分を導入するための機能性成分導入手段３３をボール型ファン１３と分離し、ボール型ファン１３を搭載するための設置台１４の中に機能性成分導入手段３３を設けることができるので、機能性成分導入手段３３のメンテナンス性を向上させることが可能な送風装置１１とすることができる。
【００６１】
（２）ボール型ファン１３の位置決め部２９（および支持部２７の凸部２８）は、ボール型ファン１３を設置台１４に搭載した際に、複数の誘引空気吸込口２２のうちの誘引空気吸込口２２ａが支持部２７の内側に位置するように構成されている。これにより、誘引空気吸込口２２ａを第一開口部３１と対向させ、誘引空気吸込口２２ａと第一開口部３１とを連通させることができるので、ボール型ファン１３の誘引空気吸込口２２ａに対して設置台風路３６を流れる空気（機能性成分が導入された空気）を確実に導入することができる。
【００６２】
（３）機能性成分導入手段３３は、ボール型ファン１３を設置台１４に搭載した際、第二開口部３２から誘引空気吸込口２２ａに至る設置台風路３６において、設置台風路３６の誘引空気吸込口２２ａ側に位置するように設けられている。これにより、第二開口部３２から吸い込まれた空気に導入される機能性成分が誘引空気吸込口２２ａから誘引されやすくなるため、機能性成分（機能性成分が導入された空気）を誘引空気吸込口２２ａに確実に吸い込ませることができる。つまり、機能性成分導入手段３３から放出される機能性成分をボール型ファン１３の外に拡散させることなく使用することができる。
【００６３】
（４）機能性成分導入手段３３は、設置台風路３６を流れる空気に導入する機能性成分を、第一機能性成分と、第一機能性成分とは異なる第二機能性成分に切り替えることが可能である。これにより、誘引空気に導入する機能性成分を、第一機能性成分と第二機能性成分に容易に切り替えることができるので、利用者の求めに応じて、異なった機能性成分を所望位置に搬送することが可能な送風装置１１とすることができる。特に、ボール型ファン１３を搭載するための設置台１４の中に機能性成分導入手段３３が設けられるので、ボール型ファンを大型化することなく、機能性成分の切り替えを実現することが可能となる。
【００６４】
以上、本開示に関して実施の形態をもとに説明した。これらの実施の形態は例示であり、それらの各構成要素や各処理プロセスの組合せにいろいろな変形例が可能なこと、またそうした変形例も本開示の範囲にあることは当業者に理解されるところである。
【００６５】
本実施の形態では、支持部２７に凸部２８を取り付けた構成としたが、これに限られない。例えば、凸部２８を取り外し可能に構成し、機能性成分の導入が必要な場合に取り付けるようにしてもよい。このようにすることで、機能性成分の導入が不要な場合に、ボール型ファン１３を設置台１４に搭載する位置あるいは角度によって上下左右、自由に風向を広く変更することが可能となる。
【産業上の利用可能性】
【００６６】
本発明に係る送風装置は、複雑な機構を用いることなくコンパクトな構成で、香料などの機能性成分を含む気流を送風することができるため、居室内の机上、床面などに設置され、直接気流による体感温度の減少あるいは居室の空気の循環に使用される各種送風機器等あるいはアロマディフューザーとして有用である。
【符号の説明】
【００６７】
１１    送風装置
１２    筐体
１３    ボール型ファン
１４    設置台
１５ａ    外壁
１５ｂ    内壁
１６    吸込口
１７    ファン
１８    モータ
１９    高圧空気発生手段
２０    吹出口
２１    第一風路
２２    誘引空気吸込口
２２ａ    誘引空気吸込口
２３    誘引空気混合部
２４    誘引空気吹出口
２５    第二風路
２６    貫通壁
２７    支持部
２７ａ    支持面
２７ｂ    切り欠き部
２７ｃ    内部空間
２８    凸部
２９    位置決め部
３０    基部
３０ａ    内部開口部
３０ｂ    内部空間
３１    第一開口部
３２    第二開口部
３２ａ    支持部開口部
３２ｂ    基部開口部
３３    機能性成分導入手段
３４    実線
３６    設置台風路
３６ａ    設置台風路
３６ｂ    設置台風路
４６    吹出気流
４７    誘引気流
１００    送風装置
１０１    筐体
１０２    吸込口
１０３    吹出口
１０４    誘引空気吸込口
１０５    誘引空気混合部
１０６    誘引空気吹出口
１０７    機能性成分導入手段
【図１】
2020118150.tif 000003
【図２】
2020118150.tif 000004
【図３】
2020118150.tif 000005
【図４】
2020118150.tif 000006
【図５】
2020118150.tif 000007
【図６】
2020118150.tif 000008
【図７】
2020118150.tif 000009